(57)【要約】【課題】大掛かりなクレーン等を必要とせず、安価で、また、竿石等に穴を穿つことのない石材構造物の補強方法及び当該方法に使用するコーキングガンのノズルを提供する。【解決手段】石材の上に隙間を設けて他の石材を積層して形成された構造物において、下に位置する上台２２上であって、上記隙間２５の外周に型枠２を設け、当該型枠２に設けた通孔２aからコーキングガンの細管から成るノズル1を挿入して当該ノズル1の吐出口を上記上に重ねられた竿石２１の断面の中央部へ挿入して上記型枠２内に接着剤を注入し、硬化させることによって補強を行う【選択図】図６
2014105514.tif 000002
【特許請求の範囲】
【請求項１】
石材の上に隙間を設けて他の石材を積層して形成された構造物において、
下に位置する石材上であって、上記隙間の外周に型枠を設け、当該型枠に設けた通孔からコーキングガンの細管から成るノズルを挿入して当該ノズルの吐出口を上記上に重ねられた石材の断面の中央部へ挿入して上記型枠内に接着剤を注入し、硬化させることによって補強を行うことを特徴とした、石材構造物の補強方法。
【請求項２】
石材の上に隙間を設けて他の石材を積層して形成された構造物において、
上記隙間の一側の一定部分に第１バックアップ材をあてがい、当該バックアップ材の後から、手持式の略ラケット形状の型枠の、先端で押圧して上記隙間内に上記第１バックアップ材と共に押し入り、
上記第１バックアップ材を隙間内に残したまま上記手持式の型枠を上記隙間内から抜いて開口を形成し、当該開口に、通孔を有する第２バックアップ材をあてがい、上記通孔からコーキングガンのノズルを挿入して当該ノズルの吐出口から上記空間内に接着剤を注入し、硬化させることによって補強を行うことを特徴とした、石材構造物の補強方法。
【請求項３】
上記型枠又は上記第２バックアップ材に、上記通孔とは別に空気抜きのための通孔を設けることを特徴とした、上記請求項１又は２に記載の石材構造物の補強方法。
【請求項４】
上記コーキングガンのノズルを屈曲させ、さらに、当該ノズルの少なくとも先端の吐出口を扁平なラッパ状に設けたことを特徴とする、上記請求項１、２又は３の何れかに記載の石材構造物の補強方法に使用するコーキングガンのノズル。
【請求項５】
上記コーキングガンのノズルを使い捨て型とすることを特徴とした、上記請求項４に記載の石材構造物の補強方法に使用するコーキングガンのノズル。
【発明の詳細な説明】
【技術分野】
【０００１】
この発明は、墓碑、石碑又は石灯籠等の石材構造物の補強方法及び当該方法に使用するコーキングガンのノズルに関するものである。
【背景技術】
【０００２】
ここでは、石材構造物として、和型墓碑Ａを使って説明する。従来、一般的な、和型墓碑Ａは、図１２に示す様に、上から竿石２１、上台２２、中台２３、芝台２４となっており、芝台２４の下はカロートと呼ばれる納骨棺となっている。この様な墓石においては、例えば、図１３に示す様に、上台２２の上に竿石２１を立てる際、上台２２の上面の竿石２１を立てる場所内の四隅付近に、竿石２１と上台２２の間に隙間２５（およそ３ｍｍ〜５ｍｍ）を確保するために、硬質ゴムから成るライナー２７を載置する。
【０００３】
その後、各ライナー２７の上に固定剤２８を塗布して、その上から竿石２１を載置し、当該竿石２１と上台２２の隙間の外周にモルタル２９等を充填して固定している。
【０００４】
この様な状況において、昨今では、地震によって被害を受けた墓石の補修及び補強が求められている。特に、竿石は上述の通り、上台の上に立設されるものであるので倒壊等の被害を受け易い。
【０００５】
中でも、竿石が倒壊まではしていないが、この竿石と上台との間のモルタル等が剥がれ落ちたり、当該モルタル等にひびが入ったりするなどの被害を受けることがある。この様な状態を放置していると、再度、地震が起こった場合、やはり竿石は倒壊してしまうこととなる。
【０００６】
また、大きくて扁平なため、竿石に比べて被害を受け難い上台、中台、芝台であっても、モルタル等が剥がれ落ちたり、横にずれたりすることがある。
【０００７】
この様な事態の招来を防ぐための墓石の補強方法として、特許文献１に記載されているものがある。これは、竿石と上台との接合面の、竿石と上台の相応する位置に夫々中空の筒状空間を設け、これらの二つの連通する筒状空間内に、弾性材又は接着剤で囲まれた一本の金属棒を嵌合すると言うものである。
【特許文献１】実用新案登録第３１２３１２４号
【発明の開示】
【発明が解決しようとする課題】
【０００８】
しかしながら、上記特許文献１の方法を、既に立てられた墓石の補修及び補強に使用するとなると、まず竿石等を別の場所に移動させ、さらに、筒状空間を穿つための加工をしなければならず、そのために、クレーン等を必要として作業が大掛かりなものとなり、費用的にも高価なものとなる。
【０００９】
また、新規に墓石を立てると言うのなら別だが、既に立てられた墓石の竿石及び上台等に穴を穿つと言うのは、当該墓碑の所有者にとって心情的に受け入れ難く、望ましくない。
【００１０】
この発明は、これらの点に鑑みて為されたもので、大掛かりなクレーン等を必要とせず、安価で、また、竿石等に穴を穿つことのない墓石等の石材構造物の補強方法及び当該方法に使用するコーキングガンのノズルを提供して上記課題を解決するものである。
【課題を解決するための手段】
【００１１】
請求項１の発明は、石材の上に隙間を設けて他の石材を積層して形成された構造物において、下に位置する石材上であって、上記隙間の外周に型枠を設け、当該型枠に設けた通孔からコーキングガンの細管から成るノズルを挿入して当該ノズルの吐出口を上記上に重ねられた石材の断面の中央部へ挿入して上記型枠内に接着剤を注入し、硬化させることによって補強を行う石材構造物の補強方法とした。
【００１２】
請求項２の発明は、石材の上に隙間を設けて他の石材を積層して形成された構造物において、上記隙間の一側の一定部分に第１バックアップ材をあてがい、当該バックアップ材の後から、手持式の略ラケット形状の型枠の、先端で押圧して上記隙間内に上記第１バックアップ材と共に押し入り、上記第１バックアップ材を隙間内に残したまま上記手持式の型枠を上記隙間内から抜いて開口を形成し、当該開口に、通孔を有する第２バックアップ材をあてがい、上記通孔からコーキングガンのノズルを挿入して当該ノズルの吐出口から上記空間内に接着剤を注入し、硬化させることによって補強を行う石材構造物の補強方法とした。
【００１３】
請求項３の発明、上記型枠又は上記第２バックアップ材に、上記通孔とは別に空気抜きのための通孔を設ける上記請求項１又は２に記載の石材構造物の補強方法とした。
【００１４】
請求項４の発明は、上記コーキングガンのノズルを屈曲させ、さらに、当該ノズルの少なくとも先端の吐出口を扁平なラッパ状に設けた上記請求項１、２又は３の何れかに記載の石材構造物の補強方法に使用するコーキングガンのノズルとした。
【００１５】
請求項５の発明は、上記コーキングガンのノズルを使い捨て型とする上記請求項４に記載の石材構造物の補強方法に使用するコーキングガンのノズルとした。
【発明の効果】
【００１６】
請求項１及び２の各発明によれば、重ねられた石材同士の隙間に、コーキングガンのノズルによって接着剤を注入して、当該構造物の補強を行うので、大掛かりな作業とならず、確実かつ安価に石材構造物の補強が出来る。
【００１７】
請求項３の発明によれば、型枠又は第２バックアップ材に、上記通孔とは別に空気抜きのための通孔を設けるので、接着剤の注入が極めて円滑に行うことが出来る。
【００１８】
請求項４の発明によれば、コーキングガンのノズルを屈曲させ、さらに、当該ノズルの少なくとも先端の吐出口を扁平なラッパ状に設けたので、狭い石材同士の隙間であっても、接着剤の注入が極めて円滑に行うことが出来る。
【００１９】
請求項５の発明によれば、コーキングガンのノズルを使い捨て型にしたので、作業毎に、毎回新しいノズルが使用でき、常に、接着剤の注入を円滑に、また、確実に行うことが出来、作業としての信頼性が高いものである。
【図面の簡単な説明】
【００２０】
【図１】この発明の実施の形態例の竿石と上台の間にコーキングガンのノズルの先端部を挿入する様子を示す概略斜視図である。
【図２】一般的なコーキングガンとこのコーキングガンに取り付けて使用するコーキング材が充填されたカートリッジを並べた状態の説明図である。
【図３】この発明の実施の形態例の、基部を屈曲させたノズルの当該基部と先端部を離した状態の側面図である。
【図４】この発明の実施の形態例の、基部を屈曲させたノズルの平面図である。
【図５】この発明の実施の形態例の竿石と上台の隙間にノズルを入れた状態の一部省略平面断面図である。
【図６】この発明の実施の形態例の竿石と上台の隙間にノズルを入れた状態の一部省略側面断面図である。
【図７】この発明の実施の形態例の手持式の型枠の平面図である。
【図８】この発明の実施の形態例の手持式の型枠の側面図である。
【図９】この発明の実施の形態例の手持式の型枠、第１バックアップ材及び第２バックアップ材を使って上台と中台の隙間の前側に接着剤を充填する空間を形成した状態の一部省略平面断面図である。
【図１０】この発明の実施の形態例の手持式の型枠等を使って上台と中台の隙間内の前後左右に接着剤を充填する空間を形成した状態の平面説明図である。
【図１１】この発明の実施の形態例のコーキングガンのカートリッジの先端にクランク型のノズルを取り付けた状態の一部側面図である。
【図１２】一般的な和型墓碑の正面図である。
【図１３】従来の上台の上に竿石を載置し、固定した状態の上台と竿石との隙間を示す一部省略平面断面図である。
【発明を実施するための形態】
【００２１】
(実施の形態例)
以下、この発明の実施の形態例の石材構造物の補強方法及び当該方法に使用するコーキングガンのノズルを図に基づいて説明する。まず、コーキングガンのノズルについて説明するが、最初にコーキングガンについて簡単に説明する。
【００２２】
コーキングガン３０は、図２に示す様に、略半円筒形状のカートリッジ装填部３１と回動自在なレバー３２が設けられた基部から成り、このレバー３２を握ることにより、ピストンロッド３３が前方へ移動して、上記カートリッジ装填部３１に装填されたカートリッジ３４の後端の底板３５を前方へ押圧して当該カートリッジ３４内のコーキング剤を上記カートリッジ３４の先端に取り付けられた、後述するノズル１から押し出すようになっている。
【００２３】
次に、上記カートリッジ３４の先端に取り付けるノズル１について説明する。図３及び図４に示す様に、このノズル１は、漏斗状の基部１ａと細管状の先端部１ｂの２つの部材から成り、基部１ａの先端付近をおよそ４５度折り曲げて設けている。この様に折り曲げているのは、後述するように、このノズル１を使って竿石２１と上台２２との隙間２５に、墓石用の接着剤を注入する際、折り曲げた方がノズル１の吐出口１ｄを上記隙間２５の奥まで入れ易いからである。また、この基部１ａの先端付近の外周には一部ねじ切り１ｃがされている。
【００２４】
このノズル１の先端部１ｂは、一定長を有する先細管形状となっており、この一定長は、後述する竿石２１と上台２２との隙間２５にこのノズル１を挿入した場合、このノズル１の先端の吐出口１ｄが当該隙間２５の空間の平面視、中央部より奥部の位置まで挿入出来るだけの長さとなっている。また、この先端部の１ｂ先端の吐出口１ｄは扁平なラッパ状に設けられており、後端の内周にはねじ切り１ｅがされている。この様な先端部１ｂの後端を上記基部１ａの先端に被せて螺着して一体に設けている。
【００２５】
次に、上記コーキングガン３０のノズル１を使っての、石材構造物の補強方法を説明する。ここでは、図１２に示す様に、補強する石材構造物として、上から竿石２１、扁平な略四角形状の上台２２、扁平な略四角形状の中台２３及び芝台２４から成る既存の、一般的な和型墓碑Ａとする。
【００２６】
ここでは、上記和型墓碑Ａにおいて、地震により竿石２１と上台２２との隙間２５（高さ５ｍｍ）のモルタル２９やセメントにひびが入ったり、又は剥がれ落ちたりしている状態とする。
【００２７】
最初に、墓石の前側から、竿石２１と上台２２の間の隙間２５にブロア（図示省略）の風を吹き込んで、剥がれ落ちたモルタル２９やセメント等をこの隙間２５から吹き飛ばして接着剤を注入の際の邪魔となるものを除去する。また、崩れ落ちそうなものもここで剥がして回収しておく。
【００２８】
その後、図５に示す様に、上台２２上であって、上記竿石２１との隙間２５の外周に四角形状の型枠２を設ける。この時、この型枠２の前側に、コーキングガン３０のノズル１を挿入するための通孔２ａを設け、また、この型枠２の左右後側に空気抜きのための通孔２ｂを夫々設けておく。
【００２９】
そして、図１、図５及び図６に示す様に、上記前側の通孔２ａから竿石２１と上台２２の隙間２５の空間内に上記コーキングガン３０のノズル１を挿入し、当該ノズル１の先端の吐出口１ｄが当該隙間２５の空間の平面視、中央部より奥部の位置まで挿入し、このコーキングガン３０のレバー３２を握り、このコーキングガン３０を手前に引きながら上記カートリッジ３４内の墓石用の接着剤を注入する。ここで、上記ノズル１を中央部より奥部の位置まで挿入しているのは、当該空間内に満遍なく、また、速やかに接着剤を注入するためである。
【００３０】
この時、この竿石２１と上台２２との隙間２５の空間に対する接着剤の充填量は、コーキングガン３０のカートリッジ３４を１本充填すれば３２０ｍｌ充填したことが分かり、また、その半分なら１６０ｍｌ充填したことが分かる。予め、必要な強度を得るために必要な接着剤の充填量を、この隙間の高さ（５ｍｍ）と竿石２１の断面積から計算しておく。
【００３１】
また、竿石２１と上台２２との隙間２５の空間内に、充分に、また、満遍なく接着剤が充填されているか否かは、上記複数の空気抜きのための通孔２ｂから接着剤が外に出ているか否かによって分かる。外に出ているようであれば、空間内に接着剤が満たされていることが分かる。
【００３２】
既存の墓石を補強する場合、一般的には、補強する前と比べておよそ４０倍以上の強度が求められている。これだけの強度は得られれば、この後地震があったとしても墓石の倒壊等を招かない。
【００３３】
この実施の形態例の補強では、上記隙間２５の５０％接着剤を充填できた場合、補強しない場合と比べて３０倍の強度が得られることが分かっている。
【００３４】
また、一度使用したノズル１については使い捨てにする。これは、このノズル１内側の通路が狭く、一度使用すると内部に残った接着剤が硬化して、この通路が塞がれて次回の円滑な注入に差し障りがでるためである。
【００３５】
また、既存の墓石の補強方法の他の実施の形態例として、手持式の型枠３を使用する。この手持ち式の型枠３は、図７及び図８に示す様に、卓球で使用するラケットの様な形状をしており、全体を、アルミニウム等の軽金属で一体に形成している。略半分を成す上部の作用部３ａの先端縁は略扇型の薄い板状で、下部は一段厚くなった細幅の把手部３ｂとなっている。
【００３６】
この型枠３の使用の仕方を説明する。最初にブロアによって剥がれたモルタル２９等を取り除くのは上記実施の形態例と同じである。ここでは、上台２２と中台２３を使って説明する。上台２２と中台２３の間にもおよそ５ｍｍの隙間２６をあけて、上台２２は中台２３の上に積載されている。これらの上台２２と中台２３の隙間２６を前にして、およそ、上記型枠３の作用部３ａの外周縁の長さを有する弾性材から成る第１バックアップ材４を上記隙間２６に沿って当て、その後ろから、上記型枠３の作用部３ａを当てて、図９及び図１０に示す様に、隙間２６内に押し込む。
【００３７】
その後、上記第１バックアップ材４を隙間２６内に残したまま型枠３を引き抜く。次に、隙間２６の横長の開口に、この開口よりやや短い第２バックアップ材５を、図９に示す様に、当該開口の両端に通孔６をあけて嵌め入れ、一方の通孔６から、コーキングガン３０のノズル１を入れ、上記第１バックアップ材４によって形成された空間内に接着剤を注入し充填する。他方の通孔６は空気抜きのためのものである。
【００３８】
この様にして、図１０に示す様に、上記上台２２と中台２３の隙間２６の前後左右の四か所を設け、隙間２６における上台２２の断面積の３０％に接着剤を注入し、硬化させた後、上記第２バックアップ材５を取り外す。この場合、補強前と比べて、およそ３０倍の強度が得られた。また、上記第２バックアップ材５を外した部分にワックスを塗布すれば、美観はさらに良くなる。
【００３９】
上台２２と中台２３、また、中台２３と芝台２４の補強する場合、一般的には、補強する前と比べておよそ３０倍以上の強度が求められている。これだけの強度は得られれば、この後地震があったとしても耐えられる。上台２２、中台２３及び芝台２４の場合、上に積載する石材の断面積の３０％の割合で接着剤を注入することが出来れば、補強前の３０倍の強度が得られることが、本件出願人の研究から分かっている。
【００４０】
また、墓石の周囲に十分な作業スペースがある場合、コーキングガン３０のノズル１として、上記実施の形態例の基部１ａが一方に屈曲させたものに代えて、図１１に示すように、クランク型の基部１ｆのノズルを使用しても良い。
【００４１】
なお、上記実施の形態例では、和型墓碑Ａにおいて説明しているが、この実施の形態例で効果が奏するものならば、洋型墓碑、石碑又は石灯籠など、他の、石材を積層してなる構造物でも良いものである。
【００４２】
コーキングガン３０のノズル１として、基部１ａと先端部１ｂに分かれ、吐出口１ｄが扁平で、上記基部１ａを一方に屈曲させたもの、また、クランク型の基部１ｆを使用したが、ノズル１の形状としては、これらに限るものではなく、最良の効果を奏することが出来る形状のものを使用すれば良い。さらに、ノズル１を使い捨てにしているが、使い捨てにするのはノズル１全体でも良いし、先端部１ｂのみを使い捨てにしても良い。
【００４３】
また、型枠３の作用部３ａの形状として、作用部３ａの先端縁を略扇型の板状としたが、作用部３ａの形状としては、略扇型に限るものではなく、三角形状などの他の形状のものでも良い。また、接着剤を注入する際の空気抜きのための通孔２ｂを３個、また、同様に通孔６を１個設けているが、通孔２ｂ、６の個数は、その時の最適な個数を設ければ良い。
【符号の説明】
【００４４】
Ａ    和型墓碑
１    ノズル              １ａ    基部          １ｂ  先端部
１ｃ  ねじ切り            １ｄ    吐出口        １ｅ  ねじ切り
２    型枠                ２ａ  通孔            ２ｂ  通孔
３    型枠                ３ａ  作用部          ３ｂ  把手部
４    第１バックアップ材
５    第２バックアップ材  ６    通孔
２１    竿石              ２２    上台          ２３    中台
２４    芝台              ２５    隙間          ２６    隙間
２７    ライナー          ２８    固定剤        ２９    モルタル
３０    コーキングガン    ３１    カートリッジ充填部
３２    レバー            ３３    ピストンロッド
３４    カートリッジ
【図１】
2014105514.tif 000003
【図２】
2014105514.tif 000004
【図３】
2014105514.tif 000005
【図４】
2014105514.tif 000006
【図５】
2014105514.tif 000007
【図６】
2014105514.tif 000008
【図７】
2014105514.tif 000009
【図８】
2014105514.tif 000010
【図９】
2014105514.tif 000011
【図１０】
2014105514.tif 000012
【図１１】
2014105514.tif 000013
【図１２】
2014105514.tif 000014
【図１３】
2014105514.tif 000015